(57)【要約】 針を収容して保護する針キャップを他の用途にも使用する構造として針キャップの有効利用を可能とし、部品点数を削減した液体採取注入針を提供する。針４が挿入されることにより針４を保持する筒体からなる針保持部材２と、針保持部材２の前側部分に対し着脱自在となっており、針４が挿入されることにより針保持部材２から露出している針４の露出部分を覆う筒体からなる針キャップ３と、を備える。針キャップ３は針保持部材２との連通状態でその端部が針保持部材２の後側部分に連結可能となっている。
2020012664.tif 000002
【特許請求の範囲】
【請求項１】
針と、針を保持する針保持部材とからなり、
前記針保持部材は、針元が挿入されることにより針を保持する保持筒部と、前記保持筒部と連通するように形成された接続筒部とを備え、
前記保持筒部から露出している針の露出部分を覆う筒体からなる針キャップが前記針保持部材に対し着脱自在となっており、
前記針キャップは、前記接続筒部に直接又は間接的に連結されることにより接続筒部と連通可能となっていることを特徴とする液体採取注入針。
【請求項２】
前記接続筒部と前記針キャップの端部とが相互に係脱自在な係合構造となっていることを特徴とする請求項１記載の液体採取注入針。
【請求項３】
前記針キャップは前記接続筒部に連結された状態で外部の医療器具と接続可能な接続構造となっていることを特徴とする請求項１又は２記載の液体採取注入針。
【請求項４】
前記係合構造は、前記接続筒部及び前記針キャップの端部が差し込みによって相互に嵌合する構造となっていることを特徴とする請求項１乃至３のいずれか１項記載の液体採取注入針。
【請求項５】
前記係合構造は、前記接続筒部又は前記針キャップの端部の少なくともいずれか一方に他方に係合可能な凸部が形成された構造となっていることを特徴とする請求項１乃至３のいずれか１項記載の液体採取注入針。
【請求項６】
前記係合構造は、前記接続筒部及び前記針キャップの端部に相互に螺合するねじ部が形成された構造となっていることを特徴とする請求項１乃至３のいずれか１項記載の液体採取注入針。
【請求項７】
前記係合構造は、前記接続筒部又は前記針キャップの端部の少なくともいずれか一方に他方との摩擦力を発生する粗面が形成されている構造となっていることを特徴とする請求項１乃至３のいずれか１項記載の液体採取注入針。
【請求項８】
前記接続構造は、前記針キャップの内面に軸方向に沿って径が連続的に変化するテーパ面が形成された構造であることを特徴とする請求項１乃至３のいずれか１項記載の液体採取注入針。
【請求項９】
前記接続構造は、前記針キャップの内面に軸方向に沿って径が段階的に変化する階段面が形成された構造であることを特徴とする請求項１乃至３のいずれか１項記載の液体採取注入針。
【請求項１０】
前記接続構造は、前記針キャップが柔軟性樹脂によって形成される共に内面にジグザグ状の曲面が形成された構造であることを特徴とする請求項１乃至３のいずれか１項記載の液体採取注入針。
【請求項１１】
前記針保持部材は、前記針キャップに挿入されることにより針キャップを着脱自在に取り付ける取付筒部が前記保持筒部との連通状態で設けられていることを特徴とする請求項１乃至１０のいずれか１項記載の液体採取注入針。
【請求項１２】
前記接続筒部に接続管が連結され、前記針キャップの端部が前記接続管に連結されることを特徴とする請求項１乃至１１のいずれか１項記載の液体採取注入針。
【請求項１３】
針と、針を保持する針保持部材とからなり、
前記針保持部材は、針元が挿入されることにより針を保持する保持筒部と、前記保持筒部と連通するように形成された接続筒部とを備え、
前記接続筒部は、外部の医療器具と直接又は間接的に接続可能となっていることを特徴とする液体採取注入針。
【請求項１４】
前記保持筒部に軸方向と交差する方向に延びるフラップ部が形成されていることを特徴とする請求項１乃至１３のいずれか１項記載の液体採取注入針。
【発明の詳細な説明】
【技術分野】
【０００１】
本発明は、針に対して各種の医療器具を接続することが可能な液体採取注入針に関する。
【背景技術】
【０００２】
血液の採取及び薬液の注入の双方に使用することができる液体採取注入針としては、例えば特開２０１７−１８４９８５号公報に開示されている。このような液体採取注入針では、フラップ部を有する針保持部材に対して先端部分が露出するように針が保持されている。この構造では、針の保護及び作業者への針刺し事故を防止するため、針の露出部分を収容する針キャップが用いられる。針キャップは針が挿入されることにより針の露出部分を覆っており、その後端部が針保持部材の先端部分に差し込み等によって取り付けられている。かかる針キャップの針保持部材への取り付けに関しては例えば、特許文献１及び２の構造が開示されている。【０００３】
特許文献１は、針保持部材の先端部分となっている取付筒部に嵌合突起を形成する一方、針キャップの後端部に嵌合溝を形成し、嵌合突起を嵌合溝に嵌合させることにより針キャップを取付筒部に安定して取り付ける構造としている。
特許文献２は、針キャップに横長の切り欠き部を形成し、この切り欠き部に保持筒部のフラップ部を折り重ねて挿入して係合させることにより安定した針キャップの取り付けを行なう構造としている。
【先行技術文献】
【特許文献】
【０００４】
【特許文献１】実開平５−４１５５８号公報
【特許文献２】実用新案登録第３０１６７１９号公報
【発明の概要】
【発明が解決しようとする課題】
【０００５】
従来において、針キャップは針を覆って保護するために用いるためだけに用いるものであり、液体採取注入針を包装袋から取り出した際には、針キャップは針から外されて廃棄される。従って、針キャップは血液の採取や薬液の注入に用いられることがなく、資源の無駄となっている。
又、液体採取注入針をヘマトクリット管やシリンジ等の外部の医療器具と接続するためには、別途、接続管等の中間部品を液体採取注入針に予めセットしておき、この中間部品を介して接続する構造となっている。このため、液体採取注入針の部品点数が増え、取り扱いが煩雑となるばかりでなく、高価となる問題も有している。【０００６】
本発明は、このような従来の問題点を考慮してなされたものであり、針に対して各種の医療器具を接続することが可能な液体採取注入針を提供することを目的とする。又、本発明は、針を保護する針キャップを外部の医療器具との接続にも使用できる構造とすることにより針キャップの有効利用を可能とした液体採取注入針を提供することを目的とする。
【課題を解決するための手段】
【０００７】
本発明の液体採取注入針は、針と、針を保持する針保持部材とからなり、前記針保持部材は、針元が挿入されることにより針を保持する保持筒部と、前記保持筒部と連通するように形成された接続筒部とを備え、前記保持筒部から露出している針の露出部分を覆う筒体からなる針キャップが前記針保持部材に対し着脱自在となっており、前記針キャップは、前記接続筒部に直接又は間接的に連結されることにより接続筒部と連通可能となっていることを特徴とする。【０００８】
本発明においては、前記接続筒部と前記針キャップの端部とが相互に係脱自在な係合構造となっていることを特徴とする。
又、前記針キャップは前記接続筒部に連結された状態で外部の医療器具と接続可能な接続構造となっていることを特徴とする。【０００９】
前記係合構造は、前記接続筒部及び前記針キャップの端部が差し込みによって相互に嵌合する構造となっていることを特徴とする。
又、前記係合構造は、前記接続筒部又は前記針キャップの端部の少なくともいずれか一方に他方に係合可能な凸部が形成された構造となっていることを特徴とする。
又、前記係合構造は、前記接続筒部及び前記針キャップの端部に相互に螺合するねじ部が形成された構造となっていることを特徴とする。
又、前記係合構造は、前記接続筒部又は前記針キャップの端部の少なくともいずれか一方に他方との摩擦力を発生する粗面が形成されている構造となっていることを特徴とする。【００１０】
前記接続構造は、前記針キャップの内面に軸方向に沿って径が連続的に変化するテーパ面が形成された構造であることを特徴とする。
又、前記接続構造は、前記針キャップの内面に軸方向に沿って径が段階的に変化する階段面が形成された構造であることを特徴とする。
又、前記接続構造は、前記針キャップが柔軟性樹脂によって形成される共に内面にジグザグ状の曲面が形成された構造であることを特徴する。【００１１】
前記針保持部材は、前記針キャップに挿入されることにより針キャップを着脱自在に取り付ける取付筒部が前記保持筒部との連通状態で設けられていることを特徴とする。
又、前記接続筒部に接続管が連結され、前記針キャップの端部が前記接続管に連結されることを特徴とする。【００１２】
本発明の液体採取注入針は、針と、針を保持する針保持部材とからなり、前記針保持部材は、針元が挿入されることにより針を保持する保持筒部と、前記保持筒部と連通するように形成された接続筒部とを備え、前記接続筒部は、外部の医療器具と直接又は間接的に接続可能となっていることを特徴とする。【００１３】
又、前記保持筒部に軸方向と交差する方向に延びるフラップ部が形成されていることを特徴とする。
【発明の効果】
【００１４】
本発明では、針を保持する針保持部材の接続筒部が外部の医療器具と直接又は間接的に接続可能となっているため、各種の医療器具を接続することができる。
又、本発明は、針を覆う針キャップを血液の採取や薬液注入に有効に再利用できるため、資源の無駄となることがない。しかも針キャップを外部の医療器具との連結に用いるため、連結のための接続管等の中間部品を液体採取注入針にセットする必要がなく、部品点数を削減した簡単な構造の液体採取注入針とすることができる。
【図面の簡単な説明】
【００１５】
【図１】（Ａ）、（Ｂ）は本発明の第１実施形態の部分破断正面図である。
【図２】第１実施形態の接続状態を示す部分破断正面図である。
【図３】第１実施形態の全体正面図である。
【図４】第１実施形態の側面図である。
【図５】第２実施形態の断面図である。
【図６】第２実施形態の接続を示す断面図である。
【図７】（Ａ）、（Ｂ）、（Ｃ）は第３実施形態の部分破断正面図、部分正面図、変形例の部分正面図である。
【図８】第４実施形態の部分破断正面図である。
【図９】第４実施形態の第２例を示す部分破断正面図である。
【図１０】（Ａ）、（Ｂ）、（Ｃ）は第５実施形態を段階的に示す部分破断正面図である。
【図１１】第６実施形態の部分破断正面図である。
【図１２】第７実施形態における針キャップの第１の接続構造を示す正面図である。
【図１３】第７実施形態における針キャップの第２の接続構造を示す正面図である。
【図１４】（Ａ）、（Ｂ）は第７実施形態における針キャップの第３の接続構造を示す正面図である。
【図１５】（Ａ）、（Ｂ）は第８実施形態を段階的に示す断面図である。
【図１６】第９実施形態を示す部分破断正面図である。
【図１７】第１０実施形態を示す部分破断正面図である。
【図１８】第１１実施形態を示す部分判断荘園図である。
【図１９】第１２実施形態を示す部分破断正面図である。
【図２０】第１３実施形態を示す部分破断正面図である。
【図２１】第１３実施形態の変形例を示す部分破断正面図である。
【図２２】第１４実施形態を示す部分破断正面図である。
【図２３】第１５実施形態を示す正面図である。
【図２４】第１５実施形態に用いる分析器の分離状態を示す正面図である。
【発明を実施するための形態】
【００１６】
以下、本発明を図示する実施形態により具体的に説明する。なお、各実施形態において、同一の部材には同一の符号を付して対応させてある。
【００１７】
［第１実施形態］
図１〜図４は、本発明の第１実施形態の液体採取注入針１を示す。液体採取注入針１は、針保持部材２と、針キャップ３とを備えている。針保持部材２及び針キャップ３はシリコン、塩化ビニル等の樹脂によって全体が形成される。
【００１８】
針保持部材２は針４を保持する部材である。針４は針保持部材２を介して外部の医療器具に連結される。医療器具は人だけなく、マウス等の実験動物に対しても血液や体液等の採取や薬液の注入等を行うための器具を包含するものである。針４は先鋭の金属製の中空管からなり、先鋭の針先４ａを通じて人や実験動物の血液、体液等の採取及び薬液の注入を行う。
【００１９】
針保持部材２は軸方向に延びる筒状に形成されており、取付筒部５が前側部分、保持筒部６が中間部分、接続筒部７が後側部分に位置するようにこれらが一体に形成されている。これらの取付筒部５、保持筒部６、接続筒部７は軸方向に連通状態した状態となっている。
保持筒部６には、軸方向と交差する方向に延びたフラップ部８が形成されている。フラップ部８は図４に示すように、実線の展開状態から鎖線の折り畳み状態とし、この状態で指で把持することにより針４を安定して操作するためのものである。フラップ部８は両翼となっているが、片翼であっても良い。
【００２０】
保持筒部６は針４の針元４ｂが挿入される。この挿入によって保持筒部６は針４を保持する。
取付筒部５は保持筒部６の前側から延びており、この筒部５が針キャップ３の後端部３ｂに差し込まれることにより針キャップ３が取付筒部５によって針保持部材２に取り付けられる、取付筒部５の差し込みを可能とするため、取付筒部５の外径は針キャップ３の内径と略同程度となるように形成される。
接続筒部７は針キャップ３が連結される部位であり、針キャップ３の前端部３ａに差し込まれることにより針キャップ３との連結が行われる。
【００２１】
針キャップ３は軸方向に延びる単一径の筒体によって形成されている。針キャップ３は針保持部材２から露出している針４の露出部分４ｃを覆うものである。針キャップ３はその後端部３ｂに針保持部材２の取付筒部５が挿入されることにより針保持部材２に着脱自在に取り付けられる。針キャップ３が針４を覆うことにより針４の保護及び作業者への針刺し事故を防止することができる。
【００２２】
この実施形態の針キャップ３は、当初は図１（Ａ）で示すように、針４を覆っているが、液体採取注入針１の使用時には同図（Ｂ）で示すように、針４の覆い状態から取り外され、図２に示すように、針保持部材２の後側部分に連結される。すなわち、針保持部材２の後側部分となっている接続筒部７が針キャップ３の前端部３ａに挿入されることにより針キャップ３が針保持部材２に直接に連結される。この針保持部材２との連結状態では、針キャップ３と針保持部材２とが連通した状態となる。
【００２３】
かかる針キャップ３と接続筒部７との連結において、これらが相互に係脱自在となる係合構造が設けられることが好ましい。この実施形態における係合構造は、図１（Ａ）に示すように、接続筒部７の外径をΦ２とした場合、針キャップ３の内径Φ１がΦ２と略同等となるように設定するものである。このような係合構造とすることにより、針キャップ３の前端部３ａと接続筒部７とを差し込みによって相互に嵌合してこれらが連結される。
これに加えて、針キャップ３の前端部３ａ内面又は接続筒部７の外面の少なくとも一方の表面を梨地面、ローレット面等の粗面に形成することも可能である。粗面とすることにより針キャップ３と接続筒部７との間に摩擦力が発生するため、これらを強固に確実に連結することができる。
【００２４】
針保持部材２との連結状態で針キャップ３は針保持部材２の後方に延びており、この延長部分に対し外部の医療器具としてのヘマトクリット管９が連結される（図２参照）。ヘマトクリット管９は針キャップ３の後端部３ｂに挿入されることによって連結され、この連結によってヘマトクリット管９を介して血液や体液の採取を行うことができる。この場合、針キャップ３が長いことから針キャップ３を曲げることも可能であり、針キャップ３とヘマトクリット管９との位置調整を簡単に行うことができる。
【００２５】
以上の液体採取注入針１では、針キャップ３によって針４を覆った図１（Ａ）の状態で包装袋（図示省略）内に封入して商品として供給される。液体採取注入針１の使用に際しては、包装袋から取り出した後、針キャプ３を針保持部材２から取り外してから針キャップ３を針保持部材２の接続筒部７に連結する。これにより針キャップ３をヘマトクリット管９との連結に使用することができる。
このような実施形態では、針キャップ３を血液の採取に有効に再使用することができるため、資源の無駄となることがない。又、針キャップ３をヘマトクリット管９等の外部の医療器具との連結に用いるため、連結のための接続管等の中間部品を液体採取注入針１に予めセットする必要がない。このため、部品点数を削減した簡単な構造の液体採取注入針とすることができ、取り扱いが簡単で、安価に提供することができる。
【００２６】
[第２実施形態]
図５及び図６は、本発明の第２実施形態の液体採取注入針１Ａを示す。
この形態では、針キャップ３の前端部３ａの径が小さくなることにより前端部３ａが細くなっているのに対し、針保持部材２の後側部分の接続筒部７は径が大きくなっており、これにより接続筒部７へ針キャップ３の前端部３ａの差し込みが可能な係合構造となっている。そして、針キャップ３の差し込みによって針キャップ３と接続筒部７とが嵌合し、針キャップ３が針保持部材２の後側部分に連結される。これにより、第１実施形態と同様に針キャップ３の有効利用ができると共に部品点数の少ない簡単な構造の液体採取注入針１Ａとすることができる。
なお、これとは逆の構造、すなわち針キャップ３の前端部３ａの径を大きく、接続筒部７の径を小さくしても同様とすることができる。
【００２７】
[第３実施形態]
図７は本発明の第３実施形態の液体採取注入針１Ｂを示す。
この形態では、図７（Ａ）及び（Ｂ）で示すように針キャップ３の前端部３ａの内面に凸部１２が形成されると共に針保持部材２の後側部分となっている接続筒部７の外面に凸部１１が形成されることにより接続筒部７と針キャップ３とが相互に係脱自在な係合構造が形成されている。針キャップ３を針保持部材２の取付筒部５から取り外し、その前端部３ａを接続筒部７に差し込むと、凸部１１、１２が相互に噛み合うため、針キャップ３が針保持部材２に強固に連結される。これにより針キャップ３を確実に連結することができる。
【００２８】
図７（Ｃ）は針保持部材２の接続筒部７の外面にねじ部（雄ねじ部）１３を形成したものであり、このねじ部１３が螺合するねじ部（雌ねじ部）を針キャップ３の前端部３ａに形成し、これにより係合構造とする。このようなねじ部の螺合によっても、接続筒部７（針保持部材２）と針キャップ３とを強固に連結することができる。
なお、これとは逆に、針キャップ３の前端部３ａに雄ねじ部を形成し、針保持部材２の接続筒部７に雌ねじ部を形成しても同様に強固に連結することができる。
【００２９】
[第４実施形態]
図８及び図９は本発明の第４実施形態の液体採取注入針１Ｃを示す。
これらに示す形態では、針保持部材２の接続筒部７にだけ凸部１４、１５を形成することにより係合構造としている。図８においては、接続筒部７の外面に凸部１４を形成するものであり、接続筒部７に連結される針キャップ３には凸部の形成加工が施されていない。針キャップ３の前端部３ａに接続筒部７を差し込むことにより凸部１４が針キャップ３に係合する。
図９においては、接続筒部７を大径の筒状に形成すると共に、その内面に凸部１５を形成しており、針キャップ３には、凸部の形成加工が施されていない。この構造では、針キャップ３の前端部３ａを接続筒部７に差し込むことにより凸部１５が針キャップ３に係合する。
図８及び図９に示すように凸部１４、１５を接続筒部７に形成することにより針キャップ３を接続筒部７（針保持部材２）に強固に連結することができる。又、針キャップ３には凸部１４、１５を形成することがないため、針キャップ３を容易に作成することができる。
【００３０】
[第５実施形態]
図１０は本発明の第５実施形態の液体採取注入針１Ｄを示す。
この液体採取注入針１Ｄでは、針保持部材２の後側部分の接続筒部７に接続管１７が連結されている。接続管１７は針キャップ３が差し込み可能な径の筒状となっており、接続筒部７が挿入されることにより針保持部材２と連通した状態となる。接続管１７は接続筒部７に接着剤によって固定される。接続管１７はヘマトクリット管を接続するために既存の液体採取注入針に旧来からセットされている部品である。この実施形態では、接続管１７がセットされ、さらに針キャップ３が針保持部材２の前側部分（取付筒部５）に取り付けられた構造となっており、この構造で包装袋内に封入することにより商品として供給される。
【００３１】
この実施形態においても、針キャップ３が針保持部材２の取付筒部５に取り付けられることにより針キャップ３が針４の露出部分４ｃを覆うものである（図１０（Ａ））。これに加えて、針保持部材２から針キャップ３を取り外して、その前端部３ａを接続管１７に差し込む（図１０（Ｂ））。このことにより針キャップ３を接続管１７に連結することができる（図１０（Ｃ））。すなわち、この形態では、針保持部材２の後側部分の接続筒部７に対し、針キャップ３が接続管１７を介して間接的に連結されるものである。そして、この針キャップ３にヘマトクリット管等の外部の医療器具を差し込むことによって連結して血液の採取等を行う。このような構造では旧来からの接続管１７がセットされた構造に対しても適用することができる
【００３２】
[第６実施形態]
図１１は本発明の第６実施形態の液体採取注入針１Ｅを示す。
液体採取注入針１Ｅにおいては、図１０と同様に、針保持部材２の後側部分の接続筒部７に接続管１７が連結されている。接続管１７は接続筒部７が差し込まれ接着剤によって接続筒部７に取り付けられる取付部１８と、取付部１８の後側に一体に形成された受管部１９とによって形成されている。受管部１９は針保持部材２内と連通した管状となっている。又、受管部１９は大径となっており、その内面に凸部２０が形成されている。
【００３３】
この形態では、針キャップ３を接続管１７の受管部１９に差し込むことにより針キャップ３が接続管１７を介して鉢保持部材２に間接的に連結される。接続管１７の受管部１９には、凸部２０が形成されているため、凸部２０が針キャップ３に係合して針キャップ３が針保持部材２の後側部分に強固に連結される。そして、針キャップ３に対し、ヘマトクリット管９等を差し込むことにより血液の採取を行うことができる。
【００３４】
［第７実施形態］
図１２〜図１４は、外部の医療器具としてのヘマトクリット管９を接続する針キャップ３の接続構造の態様をそれぞれ示す。なお、外部の医療器具としては、ヘマトクリット管９以外にも適用できるものであり、例えばシリンジであっても良い。
図１２の接続構造は、軸方向に沿って径が連続的に変化するテーパ面２１を針キャップ３の内面に形成するものである。ヘマトクリット管９はテーパ面２１の径大部分から径小部分に向かって軸方向に差し込まれることにより針キャップ３の内面径と径が一致した部分で針キャップ３に接続される。これにより外径が異なっているヘマトクリット管９であっても接続が可能となる。
図１３の接続構造は、軸方向に沿って径が段階的に変化する階段面２２を針キャップ３の内面に形成するものである。ヘマトクリット管９は階段面２２の低い部分から高い部分に向かって軸方向に差し込まれる。ヘマトクリット管９は外径が一致した階段面２２に達して接続される。このため、外径が異なっているヘマトクリット管９であっても接続を行うことができる。
図１４の接続構造は、針キャップ３が柔軟性樹脂によって形成されると共に、ジグザグ状の曲面２３が内面に形成されるものである。ヘマトクリット管９を針キャップ３に差し込むことにより、柔軟な針キャップ３がヘマトクリット管９の径に合わせて広がると共にジグザグ状の曲面２３がヘマトクリット管９と接触して摩擦力を発生する。これによりヘマトクリット管９は適宜な差し込み深さで停止して針キャップ３との接続が行われる。これにより外径が異なっているヘマトクリット管９であっても無理のない接続が可能となる。
【００３５】
［第８実施形態］
図１５は、本発明の第８実施形態の液体採取注入針１Ｆを示す。
この形態では、針キャップ３に径が大きな差し込み部２４を形成するものである。針キャップ３は図１５（Ａ）で示すように、後端部３ｂに針保持部材２の取付筒部５が挿入されることにより針保持部材２に着脱自在に連結される。径大の差し込み部２４はこの針４を覆って針４を保護する。なお、針保持部材２の後側部分の接続筒部７には、凸部２５が形成されている。
【００３６】
図１５（Ｂ）で示すように、針キャップ３を取付筒部５から外して前後逆にして接続筒部７に連結する。このとき、接続筒部７の凸部２５が針キャップ３の後端部３ｂに噛み込むため針キャップ３を強固に連結することができる。そして、径大の差し込み部２４に外部の医療器具としてのポンプ部材２６の先端部分の差し込み部２７を差し込むことによりポンプ部材２６が連結される。ポンプ部材２６の内部には、注射液等の薬液が充填されており、ポンプ部材２６を圧縮することにより薬液を患者や実験動物の患部に注入することができる。これにより血液の採取だけでなく，薬液の投与にも使用することができる。なお、ポンプ部材２６に代えてシリンジを接続することも可能である。
このような実施形態においても、針４を覆って保護する針キャップ３をポンプ部材２６との連結に用いるため、針キャップ３の再利用ができ、針キャップ３を無駄にすることがない。又、ポンプ部材２６の連結のための接続管等の中間部品を液体採取注入針１Ｆに予めセットする必要がない。このため、部品点数を削減した簡単な構造の液体採取注入針とすることができ、取り扱いが簡単で、安価に提供することができる。
この実施形態においては、凸部２５を形成しなくても接続が可能である。又、接続筒部７の径を大きくして針キャップ３の後端部３ｂを接続筒部７に差し込む連結構造としても良い。
【００３７】
［第９実施形態］
図１６は、本発明の第９実施形態の液体採取注入針１Ｇを示す。この実施形態の採取注入針１Ｇでは、針４と、針保持部材２とによって形成されている。針保持部材２及び針キャップ３はシリコン、塩化ビニル等の樹脂によって全体が形成される。これらの針４及び針保持部材２は上述した第１実施形態と同様な構造となっている。
【００３８】
針４は先鋭の金属製の中空管からなり、先鋭の針先４ａを通じて人や実験動物の血液、体液等の採取及び薬液の注入を行う。
【００３９】
針保持部材２は第１実施形態と同様に、取付筒部５が前側部分、保持筒部６が中間部分、接続筒部７が後側部分に位置しており、全体が軸方向に延びる筒状となっている。
保持筒部６には、軸方向と交差する方向に延びたフラップ部８が形成されている。フラップ部８は指で把持することにより針４を安定して操作するものであり、両翼となっているが、片翼であっても良い。
【００４０】
保持筒部６は針４の針元４ｂが挿入される。この挿入によって保持筒部６は針４を保持する。
取付筒部５は保持筒部６の前側から延びており、図示を省略した針キャップ３の後端部に差し込まれることにより針キャップ３が針保持部材２に取り付けられる。なお、この実施形態においては、針キャップ３は外部の医療器具との接続に使用しないため、適宜、針キャップ３を省略することができる。この場合には、前側部分の取付筒部５を削除した構造とすることができる。
【００４１】
この実施形態の液体採取注入針１Ｇでは、接続筒部７に対して外部の医療器具としてのヘマトクリット管９が直接に接続可能となっている。ヘマトクリット管９を接続筒部７に接続するため、ヘマトクリット管９は接続筒部７の内径に合わせた外径のものが選択される。なお、この接続を確実且つ強固にするため、接続筒部７の内面又はヘマトクリット管９の外面を梨地面やローレット面としても良い。
【００４２】
このような実施形態では、針４を保持する針保持部材２の接続筒部７に対して外部の医療器具であるヘマトクリット管９を直接に接続する構造であり、これによりヘマトクリット管９を介して血液や体液の採取を行なうことができる。従って、部品点数を削減した構造の液体採取注入針とすることができる。
【００４３】
［第１０実施形態］
図１７は、本発明の第１０実施形態の液体採取注入針１Ｈを示す。この実施形態においても、取付筒部５、保持筒部６及び接続筒部７を軸方向に沿って連通することにより針保持部材２が形成されており、接続筒部７には外部の医療器具が接続可能となっている。
外部の医療器具としては、ゴム風船からなる中空のポンプ部材３１が使用される。このポンプ部材３１の前端側の接続口３２に針保持部材２の接続筒部７を差し込んで嵌合させることによりポンプ部材３１と接続筒部７とが接続される。この接続状態でポンプ部材３１を膨縮させることにより、針４を通じて血液や体液の採取及び薬液の注入を行なうことができる。
なお、この実施形態においても、図示を省略した針キャップ３は外部の医療器具との接続に使用しないため、適宜、針キャップ３を省略することができ、この場合には、前側部分の取付筒部５を削除した構造とすることができる。
【００４４】
［第１１実施形態］
図１８は、本発明の第１１実施形態の液体採取注入針１Ｉを示す。
針４を保持する針保持部材２は、前側部分に取付筒部５、中間部分に保持筒部６、後側部分に接続筒部７が位置することにより全体が軸方向に延びる筒状となっており、接続筒部７には、外部の医療器具が接続可能となっている。
外部の医療器具としては、ホース等からなる可撓性の管体３３が選択されている。この管体３３の前端の差し込み口３４に接続筒部７に差し込むことにより管体３３と接続筒部７とが接続される。管体３３の後端には、シリンジやポンプ等の液管３５が連結されており、液管３５を作動させることにより針４を通じて血液や体液の採取及び薬液の注入を行なうことができる。
この実施形態においても、図示を省略した針キャップ３は外部の医療器具との接続に使用しないため、適宜、針キャップ３を省略することができ、この場合には、前側部分の取付筒部５を削除した構造とすることができる。
【００４５】
［第１２実施形態］
図１９は、本発明の第１２実施形態の液体採取注入針１Ｊを示す。
針４を保持する針保持部材２は、前側部分に取付筒部５、中間部分に保持筒部６、後側部分に接続筒部７が位置することにより全体が軸方向に延びる筒状となっている。接続筒部７には、外部の医療器具が接続可能となっている。
外部の医療器具としては、シリンジ３６が選択され、シリンジ３６の前端側のシリンジ口３６ａに接続筒部７を差し込んでシリンジ３６との接続が行われる。これにより、針４を通じて血液や体液の採取及び薬液の注入を行なうことができる。
この実施形態においても、図示を省略した針キャップ３は外部の医療器具との接続に使用しないため、適宜、針キャップ３を省略することができ、この場合には、前側部分の取付筒部５を削除した構造とすることができる。
【００４６】
［第１３実施形態］
図２０は、本発明の第１３実施形態の液体採取注入針１Ｋを示す。
この実施形態では、第８実施形態と同様に、針保持部材２の接続筒部７に外面に突出する凸部３７が形成されている。この接続筒部７に対し、外部の医療器具としてのヘマトクリット管９が接続される。ヘマトクリット管９は凸部３７を含む接続筒部７の外径よりも大きな径を有したものが選択される。この径大のヘマトクリット管９に接続筒部７を差し込むことによりヘマトクリット管９が接続筒部７に接続される。この構造では、凸部３７が形成されているため、接続筒部７とヘマトクリット管９とを強固に接続することができ、ヘマトクリット管９の不用意な抜け止めを行なうことができる。
この実施形態においても、図示を省略した針キャップ３は外部の医療器具との接続に使用しないため、適宜、針キャップ３を省略することができ、この場合には、前側部分の取付筒部５を削除した構造とすることができる。
【００４７】
図２１は、この実施形態の変形例を示す。図２１においては、接続筒部７の外面の凸部３７に加えて外部の医療器具としてのヘマトクリット管９の内面にも凸部３８が形成されている。凸部３８はヘマトクリット管９の前側部分に形成されており、接続筒部７側の凸部３７と相互に係合する。これにより接続筒部７とヘマトクリット管９とを強固に接続することができ、ヘマトクリット管９の不用意な抜け止めを行なうことができる。
この実施形態においても、針キャップ３は外部の医療器具との接続に使用しないため、適宜、針キャップ３を省略することができ、この場合には、前側部分の取付筒部５を削除した構造とすることができる。
【００４８】
［第１４実施形態］
図２２は、本発明の第１４実施形態の液体採取注入針１Ｌを示す。この液体採取注入針１Ｌでは、針保持部材２の接続筒部７に接続管１７が連結されている。接続管１７はゴム等の可撓性材料によって形成されるものであり、接続筒部７が差し込み可能な内径となっており、差し込まれた接続筒部７と接着剤を介して接続される。この接続管１７を介して外部の医療器具が接続筒部７と接続される。
外部の医療器具としては、ヘマトクリット管９が選択される。この場合のヘマトクリット管９は接続管１７に差し込み可能な外径に形成されており、接続管１７への差し込みによって接続管１７を介して接続筒部７との接続が行われる。これにより、針４を通じて血液や体液の採取及び薬液の注入を行なうことができる。このような実施形態では、接続筒部７とヘマトクリット管９とが接続管１７を介して間接的に接続される構造となっている。
この実施形態においても、図示を省略した針キャップ３は外部の医療器具との接続に使用しないため、適宜、針キャップ３を省略することができ、この場合には、前側部分の取付筒部５を削除した構造とすることができる。
【００４９】
［第１５実施形態］
図２３及び図２４は、本発明の第１５実施形態を示す。
この実施形態では、外部の医療器具として図２３に示す微量での分析を行う分析器４０を用いるものである。
分析器４０は透明材料によって形成された本体部４１にキャピラリーチューブ（毛細管）４２が設けられた構造となっている。キャピラリーチューブ４２は血液や体液を採取するものである。このキャピラリーチューブ４２は２本の分析チューブ４４と、２本の分析チューブ４４を連通するＵ字チューブ４５とによって形成されている。Ｕ字チューブ４５は本体部４１内に形成される一方、２本の分析チューブ４４は本体部４１の外方に位置している。一方の分析チューブ４４の端部は、液体採取注入針１Ｇの接続筒部７に接続される差し込み口４３となっている。
【００５０】
図示例では、液体採取注入針として図１６に示す液体採取注入針１Ｇを用いており、この注入針１Ｇの接続筒部７に差し込み口４３を差し込んで血液、体液をキャピラリーチューブ４２内に導入する。キャピラリーチューブ４２内が充満した時点で、分析器４を液体採取注入針１Ｇから外し、その後、図２４に示すように、本体部４１から２本の分析チューブ４４を分離し、分析チューブ４４をプラズマ分析に供する。
この実施形態では、分析器４０を接続することにより、分析器４０に対する血液、体液の採取にも使用することができる。
【符号の説明】
【００５１】
１、１Ａ、１Ｂ、１Ｃ、１Ｄ、１Ｅ、１Ｆ、１Ｇ、１Ｈ、１Ｉ、１Ｊ、１Ｋ、１Ｌ  液体採取注入針
２  針保持部材
３  針キャップ
４  針
５  取付筒部
６  保持筒部
７  接続筒部
８  フラップ部
９  ヘマトクリット管
１１、１２，１４、１５、２０、２５  凸部
１３  ねじ部
１７  接続管
２１  テーパ面
２２  階段面
２３  曲面
２６  ポンプ部材
【図１】
2020012664.tif 000003
【図２】
2020012664.tif 000004
【図３】
2020012664.tif 000005
【図４】
2020012664.tif 000006
【図５】
2020012664.tif 000007
【図６】
2020012664.tif 000008
【図７】
2020012664.tif 000009
【図８】
2020012664.tif 000010
【図９】
2020012664.tif 000011
【図１０】
2020012664.tif 000012
【図１１】
2020012664.tif 000013
【図１２】
2020012664.tif 000014
【図１３】
2020012664.tif 000015
【図１４】
2020012664.tif 000016
【図１５】
2020012664.tif 000017
【図１６】
2020012664.tif 000018
【図１７】
2020012664.tif 000019
【図１８】
2020012664.tif 000020
【図１９】
2020012664.tif 000021
【図２０】
2020012664.tif 000022
【図２１】
2020012664.tif 000023
【図２２】
2020012664.tif 000024
【図２３】
2020012664.tif 000025
【図２４】
2020012664.tif 000026
【手続補正書】
【提出日】令和1年11月12日(2019.11.12)
【手続補正１】
【補正対象書類名】特許請求の範囲
【補正対象項目名】全文
【補正方法】変更
【補正の内容】
【特許請求の範囲】
【請求項１】
針と、針を保持する針保持部材とからなり、
前記針保持部材は、針元が挿入されることにより針を保持する保持筒部と、前記保持筒部と連通するように形成された接続筒部とを備え、
前記保持筒部から露出している針の露出部分を覆う筒体からなる針キャップが前記針保持部材に対し着脱自在となっており、
前記針キャップは、前記接続筒部に直接又は間接的に連結されることにより接続筒部と連通可能となっており、
前記針キャップは前記接続筒部に連結された状態で外部の医療器具と接続可能な接続構造となっていることを特徴とする液体採取注入針。
【請求項２】
前記接続筒部と前記針キャップの端部とが相互に係脱自在な係合構造となっていることを特徴とする請求項１記載の液体採取注入針。
【請求項３】
（削除）
【請求項４】
前記係合構造は、前記接続筒部及び前記針キャップの端部が差し込みによって相互に嵌合する構造となっていることを特徴とする請求項１又は２記載の液体採取注入針。
【請求項５】
前記係合構造は、前記接続筒部又は前記針キャップの端部の少なくともいずれか一方に他方に係合可能な凸部が形成された構造となっていることを特徴とする請求項１又は２記載の液体採取注入針。
【請求項６】
前記係合構造は、前記接続筒部及び前記針キャップの端部に相互に螺合するねじ部が形成された構造となっていることを特徴とする請求項１又は２記載の液体採取注入針。
【請求項７】
前記係合構造は、前記接続筒部又は前記針キャップの端部の少なくともいずれか一方に他方との摩擦力を発生する粗面が形成されている構造となっていることを特徴とする請求項１又は２記載の液体採取注入針。
【請求項８】
前記接続構造は、前記針キャップの内面に軸方向に沿って径が連続的に変化するテーパ面が形成された構造であることを特徴とする請求項１又は２記載の液体採取注入針。
【請求項９】
前記接続構造は、前記針キャップの内面に軸方向に沿って径が段階的に変化する階段面が形成された構造であることを特徴とする請求項１又は２記載の液体採取注入針。
【請求項１０】
前記接続構造は、前記針キャップが柔軟性樹脂によって形成される共に内面にジグザグ状の曲面が形成された構造であることを特徴とする請求項１又は２記載の液体採取注入針。
【請求項１１】
前記針保持部材は、前記針キャップに挿入されることにより針キャップを着脱自在に取り付ける取付筒部が前記保持筒部との連通状態で設けられていることを特徴とする請求項１、２又は４乃至１０のいずれか１項記載の液体採取注入針。
【請求項１２】
前記接続筒部に接続管が連結され、前記針キャップの端部が前記接続管に連結されることを特徴とする請求項１、２又は４乃至１１のいずれか１項記載の液体採取注入針。
【請求項１３】
（削除）
【請求項１４】
前記保持筒部に軸方向と交差する方向に延びるフラップ部が形成されていることを特徴とする請求項１、２又は４乃至１２のいずれか１項記載の液体採取注入針。
【国際調査報告】
2020012664.tif 000027
2020012664.tif 000028
2020012664.tif 000029
2020012664.tif 000030